(57)【特許請求の範囲】
【請求項１】
取り付け具を介して取り付け面へ警報器を取り付ける構造であって、
該取り付け具はその中心に関し対称の位置に２つのみ設けられた取付部を有し、該取付部には該取り付け面への固定用の釘又はピンが斜め方向に挿通される一対の傾斜孔を有する固定部がそれぞれ設けられ、
該固定部のそれぞれにおける該一対の傾斜孔は、互いに近接して形成されると共に異なる挿通方向に形成され、且つ、互いに該固定部の内部に向けては収束し、外部に向けては拡散する如き挿通方向に形成され、
又、一の該固定部における該一対の傾斜孔は平面視で互いに上下に平行な挿通方向に形成され、一方、他の該固定部における該一対の傾斜孔は平面視で互いに左右に平行な挿通方向に形成されることを特徴とする警報器の取り付け構造。
【請求項２】
取り付け具を介して取り付け面へ警報器を取り付ける構造であって、
該取り付け具はその中心に関し対称の位置に２つのみ設けられた取付部を有し、該取付部には該取り付け面への固定用の釘又はピンが斜め方向に挿通される一対の傾斜孔を有する固定部がそれぞれ設けられ、
該固定部のそれぞれにおける該一対の傾斜孔は、互いに近接して形成されると共に異なる挿通方向に形成され、且つ、互いに該固定部の内部に向けては収束し、外部に向けては拡散する如き挿通方向に形成され、
又、一の該固定部における該一対の傾斜孔は平面視で互いに上と左に直交する挿通方向に形成され、一方、他の該固定部における該一対の傾斜孔は平面視で互いに下と右に直交する挿通方向に形成されることを特徴とする警報器の取り付け構造。
【発明の詳細な説明】
【技術分野】
【０００１】
この発明は、各種警報器を天井面や壁面等に取り付けるためのその取り付け構造に関する。
【背景技術】
【０００２】
従来、一般住宅においては、火災やガス漏れ等、各種の異常を検出して警報を発する警報器が広く利用されている。このような警報器は、一般に、天井面や壁面の石膏ボードに取り付けられて使用されている。具体的には、警報器の筐体やその裏面に設けた取り付け具に、ネジや釘等を挿通するための取り付け孔を設けて取り付け部とし、その取り付け部にネジや釘等を挿通させることで、警報器を天井面や壁面に取り付けていた（例えば、特許文献１及び２参照）。
【０００３】
【特許文献１】特許第３８４９７２１号公報
【特許文献２】特開２０００−２９２９６８号公報
【発明の開示】
【発明が解決しようとする課題】
【０００４】
前記のような取り付け構造による場合に、ネジを利用して取り付けると、警報器を取り外した際に孔が目立つことから、孔が比較的目立たない釘やピン等を利用して取り付けることがある。
【０００５】
しかしながら、前記のような取り付け構造において釘やピンを利用する場合、釘やピンは螺子切りされておらず、又各取付部において釘やピンは１本づつしか利用されていないので、釘やピンを斜め方向で取付部に挿通させて、取り付け面へ刺し込んだとしても、警報器を外す方向に力が加われば、比較的軽い力で警報器が外れてしまうという問題点があった。
【０００６】
前記事情に鑑み、この発明は、螺子切りされていない釘やピン等を警報器の取り付け面への固定に利用するものであっても、警報器を取り付け面へ強く固定して取り付けることができる、警報器の取り付け構造を得ることを目的とする。
【課題を解決するための手段】
【０００７】
前記目的を達成するべく、この発明は、取り付け具を介して取り付け面へ警報器を取り付ける構造であって、該取り付け具はその中心に関し対称の位置に２つのみ設けられた取付部を有し、該取付部には該取り付け面への固定用の釘又はピンが斜め方向に挿通される一対の傾斜孔を有する固定部がそれぞれ設けられ、該固定部のそれぞれにおける該一対の傾斜孔は、互いに近接して形成されると共に異なる挿通方向に形成され、且つ、互いに該固定部の内部に向けては収束し、外部に向けては拡散する如き挿通方向に形成され、又、一の該固定部における該一対の傾斜孔は平面視で互いに上下に平行な挿通方向に形成され、一方、他の該固定部における該一対の傾斜孔は平面視で互いに左右に平行な挿通方向に形成されることを特徴とする警報器の取り付け構造である。
【０００８】
又、この発明は、取り付け具を介して取り付け面へ警報器を取り付ける構造であって、該取り付け具はその中心に関し対称の位置に２つのみ設けられた取付部を有し、該取付部には該取り付け面への固定用の釘又はピンが斜め方向に挿通される一対の傾斜孔を有する固定部がそれぞれ設けられ、該固定部のそれぞれにおける該一対の傾斜孔は、互いに近接して形成されると共に異なる挿通方向に形成され、且つ、互いに該固定部の内部に向けては収束し、外部に向けては拡散する如き挿通方向に形成され、又、一の該固定部における該一対の傾斜孔は平面視で互いに上と左に直交する挿通方向に形成され、一方、他の該固定部における該一対の傾斜孔は平面視で互いに下と右に直交する挿通方向に形成されることを特徴とする警報器の取り付け構造である。
【００１３】
尚、この発明の、前記警報器の取り付け構造において、前記取り付け具は、警報器とは別体のものを用いてもよいし、警報器の裏面カバー等を用いてもよい。又、前記固定部は、取り付け具と一体のものを用いてもよいし、別体のものを用いてもよい。前記固定部を取り付け具とは別体のものとする場合、取り付け具に孔を形成し、その孔に固定部を嵌合させるものとしてもよい。
【００１４】
更に、この発明の前記警報器の取り付け構造は、一般住宅の各部屋やオフィスの各部屋の天井面や壁面に警報器を取り付けるのに適用が可能であり、そして下地材として石膏ボードが用いられている天井面や壁面に警報器を取り付けるのに適用が可能である。又、その警報器としては、例えば、煙を検出して火災警報を発するもの、ガスを検出してガス漏れ警報を発するもの、一酸化炭素（CO)を検出して不完全燃焼警報を発するもの、更にはそれらの複合タイプのもの等に適用が可能である。又、聴覚障害者等に異常を知らせるために、これらの警報器と連動して光を発する補助警報器等にも適用が可能である。
【発明の効果】
【００１５】
この発明によれば、取り付け具の固定部のそれぞれにおいて、複数の傾斜孔に複数の釘又はピンが互いに異なる斜めの方向で挿通され、そして取り付け面に刺し込まれることとなる。従って、釘やピン等の螺子切りされていない固着具を警報器の取り付け面への固定に利用するものであっても、前記従来の取り付け構造に比して、下方向へ力が加わっても外れ難い。言い換えれば、より強く取り付け具を取り付け面へ固定することができ、即ちより強く警報器を取り付け面へ固定することができる。
【００１６】
又、この発明によれば、一の固定部における複数の傾斜孔が他の固定部における複数の傾斜孔の挿通方向とは異なる挿通方向のものとすることで、具体的には、一の固定部における複数の傾斜孔を平面視で互いに上下に平行な挿通方向を有する一対の傾斜孔とすると共に、他の固定部における複数の傾斜孔を平面視で互いに左右に平行な挿通方向を有する一対の傾斜孔としたり、一の固定部における複数の傾斜孔を平面視で互いに上と左に直交する挿通方向を有する一対の傾斜孔とすると共に、他の固定部における複数の傾斜孔を平面視で互いに下と右に直交する挿通方向を有する一対の傾斜孔としたりすることで、更により強く警報器を取り付け面へ固定することができる。
【発明を実施するための最良の形態】
【００１７】
この発明の警報器の取り付け構造の実施の形態を図１乃至図９に基づき説明する。尚、図１はこの発明の第１の実施の形態の警報器の取り付け構造に含まれる取り付け具の平面図、図２は同上の取り付け具が取り付け面に取り付けられる際の状態を示した概略断面図、図３は同上の取り付け具が取り付け面に取り付けられた状態を示した概略断面図、図４は同上の固定部の釘が挿通された状態における平面図、図５は同上の取り付け具によって警報器を取り付けた際の状態を示した断面図、図６は第２の実施の形態の固定部の釘が挿通された状態における平面図、図７は第３の実施の形態の固定部の釘が挿通された状態における平面図、図８は同上の取り付け具が取り付け面に取り付けられる際の状態を示した概略断面図、図９は同上の取り付け具が取り付け面に取り付けられた状態を示した概略断面図である。
【００１８】
[第１の実施の形態]
図１に示す様に、警報器を取り付けるための取り付け具１は、２つの取り付け部２，３を有している。尚、取り付け具１において、取り付け部２，３は取り付け具１の中心に関し対称の位置に設けられている。取り付け部２，３には固定部４，５が設けられており、具体的には、取り付け部２，３に形成された取り付け孔２ａ，３ａに固定部４，５の首部４ｂ，５ｂが嵌合して設けられている。この固定部４，５には、半球状の頭部４ａ，５ａから円柱状の首部４ｂ，５ｂを貫通する２つ傾斜孔４ｃ，４ｄと同５ｃ，５ｄがそれぞれ設けられている。これら傾斜孔４ｃ，４ｄ，５ｃ，５ｄに天井Ｔへの固定用の釘６が頭部４ａ，５ａ側からそれぞれ挿通される。
【００１９】
固定部４，５において、図２及び図３に示す様に、２つ傾斜孔４ｃ，４ｄと同５ｃ，５ｄはそれぞれ互いに近接すると共に異なる挿通方向、内部に向けては収束し、外部に向けては拡散する挿通方向Ａ１，Ａ２と同Ａ３，Ａ４を有する如く形成されている。具体的には、半球状の頭部４ａ，５ａから釘６が挿通される傾斜孔４ｃ，４ｄと同５ｃ，５ｄは接触しない程度まで、半球状の中心に向かって収束し、その後半球状の外周方向に向かって拡散する如く挿通方向が形成されている。これにより、固定部４，５のそれぞれにおいて２本の釘６が互いに異なる斜めの方向で挿通され、そして天井Ｔに刺し込まれることとなる。
【００２０】
更に、図１に示す様に、一方の固定部４における傾斜孔４ｃ，４ｄは、他方の固定部５における傾斜孔５ｃ，５ｄの挿通方向Ａ３，Ａ４とは異なる挿通方向Ａ１，Ａ２を有しており、具体的には、一方の固定部４における傾斜孔４ｃ，４ｄは、平面視で互いに上下に平行な挿通方向Ａ１，Ａ２を有し、他方の固定部５における傾斜孔５ｃ，５ｄは、平面視で互いに左右に平行な挿通方向Ａ３，Ａ４を有している。これにより、図４に示す様に、固定部４，５には、一方には外部に向けて左右に拡散する方向で２本の釘６が挿通され、他方には外部に向けて上下に拡散する方向で２本の釘６が挿通されることとなり、即ち天井Ｔ内に上下左右に拡散する方向で４本の釘６が刺し込まれることとなる。従って、取り付け具１を天井Ｔの取り付け面へ強く固定することができる。
【００２１】
前記の様に構成される警報器の取り付け構造によって、警報器を取り付けるには、先ず、取り付け具１の取り付け部２，３における取り付け孔２ａ，３ａに固定部４，５の首部４ｂ，５ｂを嵌め込み、ここで固定部４，５における傾斜孔４ｃ，４ｄと同５ｃ，５ｄの挿通方向Ａ１，Ａ２と同Ａ３，Ａ４が前記の様に異なる向きになる様にし、次いで、取り付け具１を天井Ｔの取り付け面にあてがい、次いで、固定部４，５の傾斜孔４ｃ，４ｄ，５ｃ，５ｄの全てに釘６を挿通させて、天井Ｔに刺し込み、最後に、図５に示す様に、警報器本体７（二点鎖線で示す）を取り付け具１に取り付ける。
【００２２】
この発明の警報器の取り付け構造は、前記の様に構成されていることで、取り付け具１の固定部４，５のそれぞれにおいて２本の釘が異なる斜めの方向で挿通され、そして天井Ｔの取り付け面に刺し込まれることとなる。従って、螺子切りされていない釘６を警報器の固定に利用するものであっても、従来の取り付け構造に比して、より強く取り付け具１を天井Ｔの取り付け面へ固定することができ、即ちより強く警報器を天井Ｔの取り付け面へ固定することができる。
【００２３】
[第２の実施の形態]
第２の実施の形態は、固定部４，５における傾斜孔４ｃ，４ｄ，５ｃ，５ｄの挿通方向の組み合わせを第１の実施の形態とは異なるものとしたものである。即ち、図６に示す様に、固定部４，５のそれぞれにおける２つの傾斜孔（図示省略）は平面視で互いに直交する挿通方向Ａ５，Ａ６と同Ａ７，Ａ８を有するものとし、一方の固定部４における２つの傾斜孔の直交する挿通方向Ａ５，Ａ６と他方の固定部５における２つの傾斜孔の直交する挿通方向Ａ７，Ａ８は挿通方向が異なるものとしたものである。これによっても、図６に示す様に、固定部４，５には、上下左右に拡散する方向で４本の釘６が挿通されることとなり、取り付け具１を天井Ｔの取り付け面へ強くに固定することができる。
【図面の簡単な説明】
【００２５】
【図１】この発明の第１の実施の形態の警報器の取り付け構造に含まれる取り付け具の平面図である。
【図２】同上の取り付け具が取り付け面に取り付けられる際の状態を示した概略断面図である。
【図３】同上の取り付け具が取り付け面に取り付けられた状態を示した概略断面図である。
【図４】同上の固定部の釘が挿通された状態における平面図である。
【図５】同上の取り付け具によって警報器本体を取り付けた際の状態を示した断面図である。
【図６】第２の実施の形態の固定部の釘が挿通された状態における平面図である。
【符号の説明】
【００２６】
１  取り付け具
２  取り付け部
３  取り付け部
２ａ  取り付け孔
３ａ  取り付け孔
４  固定部
４ａ  頭部
４ｂ  首部
４ｃ  傾斜孔
４ｄ  傾斜孔
５  固定部
５ａ  頭部
５ｂ  首部
５ｃ  傾斜孔
５ｄ  傾斜孔
６  釘
７  警報器本体
Ａ１〜Ａ８  挿通方向
【図１】
0005014956.tif 000002
【図２】
0005014956.tif 000003
【図３】
0005014956.tif 000004
【図４】
0005014956.tif 000005
【図５】
0005014956.tif 000006
【図６】
0005014956.tif 000007